【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
データベースを管理するサーバと複数のクライアントとをネットワークで接続してなり、グループを構成する各利用者が前記各クライアントを使用して前記データベースに記憶された電子資料を共有できるようにしたグループウェアシステムにおいて、
前記各利用者に対してそれぞれ設定されたその利用者固有の認証用ＩＤを記憶する認証用ＩＤ記憶手段と、前記クライアントにて入力された認証用ＩＤで前記認証用ＩＤ記憶手段を検索してユーザ認証を行う認証手段と、前記認証手段により利用者が承認されたクライアントにおいて、その利用者に係わる電子資料へのアクセス権を付与する他の利用者の認証用ＩＤが、前記認証用ＩＤ記憶手段に記憶された認証用ＩＤの中から選択されるのを受付けるアクセス権付与手段と、前記アクセス権付与手段により前記クライアントで受付けた他の利用者の認証用ＩＤを、そのクライアントで承認された利用者に紐付けて記憶するアクセス権記憶手段と、前記クライアントからのアクセス要求に対し、前記アクセス権記憶手段を検索して、そのクライアントで承認された利用者の認証用ＩＤが紐付けられている利用者を特定し、この特定された利用者に係わる電子資料へのアクセスを許可するアクセス権制御手段とを具備したことを特徴とするグループウェアシステム。
【請求項２】
前記認証手段により利用者が承認されたクライアントにおいて、その利用者に係わる電子資料毎に、その電子資料へのアクセス権を付与する他の利用者の認証用ＩＤが、その電子資料に係わる利用者に紐付けて前記アクセス権記憶手段で記憶している認証用ＩＤの中から選択されるのを受付ける資料単位アクセス権付与手段と、前記資料単位アクセス権付与手段により前記クライアントで受付けた他の利用者の認証用ＩＤを、該当する電子資料に紐付けて記憶する資料単位アクセス権記憶手段と、をさらに具備し、前記アクセス権制御手段は、前記クライアントからのアクセス要求に対し、前記資料単位アクセス権記憶手段を検索して、当該クライアントで承認された利用者の認証用ＩＤが紐付けられている電子資料へのアクセスを許可することを特徴とする請求項１記載のグループウェアシステム。
【請求項３】
前記アクセス権制御手段により電子資料へのアクセスが許可されたクライアントにおいて、その電子資料へのアクセス権を付与する利用者の認証用ＩＤが、その電子資料に係わる利用者に紐付けて前記アクセス権記憶手段で記憶している認証用ＩＤの中から変更されるのを受付ける資料単位アクセス権変更手段と、前記資料単位アクセス権変更手段により前記クライアントで受付けた変更内容に従い、該当する電子資料に紐付けて前記資料単位アクセス権記憶手段で記憶している他の利用者の認証用ＩＤを更新する資料単位アクセス権更新手段と、をさらに具備したことを特徴とする請求項２記載のグループウェアシステム。
【請求項４】
前記資料単位アクセス権記憶手段により電子資料毎に記憶されている認識用ＩＤは、その電子資料に係わる利用者に紐付けて前記アクセス権記憶手段で記憶している認証用ＩＤの中から削除されても保持されることを特徴とする請求項２または３記載のグループウェアシステム。
【請求項５】
データベースを管理するサーバと複数のクライアントとをネットワークで接続してなり、グループを構成する各利用者が前記各クライアントを使用して前記データベースに記憶された電子資料を共有できるようにしたグループウェアシステムの前記サーバにおいて、
前記各利用者に対してそれぞれ設定されたその利用者固有の認証用ＩＤを記憶する認証用ＩＤ記憶手段と、
前記クライアントにて入力された認証用ＩＤで前記認証用ＩＤ記憶手段を検索してユーザ認証を行う認証手段と、
前記認証手段により利用者が承認されたクライアントにおいて、その利用者に係わる電子資料へのアクセス権を付与する他の利用者の認証用ＩＤが、前記認証用ＩＤ記憶手段に記憶された認証用ＩＤの中から選択されると、この選択された他の利用者の認証用ＩＤを、そのクライアントで承認された利用者に紐付けて記憶するアクセス権記憶手段と、
前記クライアントからのアクセス要求に対し、前記アクセス権記憶手段を検索して、そのクライアントで承認された利用者の認証用ＩＤが紐付けられている利用者を特定し、この特定された利用者に係わる電子資料へのアクセスを許可するアクセス権制御手段と、
を具備したことを特徴とするサーバ。
【請求項６】
前記認証手段により利用者が承認されたクライアントにおいて、その利用者に係わる電子資料毎に、その電子資料へのアクセス権を付与する他の利用者の認証用ＩＤが、その電子資料に係わる利用者に紐付けて前記アクセス権記憶手段で記憶している認証用ＩＤの中から選択されると、その選択された他の利用者の認証用ＩＤを、該当する電子資料に紐付けて記憶する資料単位アクセス権記憶手段、
をさらに具備し、
前記アクセス権制御手段は、前記クライアントからのアクセス要求に対し、前記資料単位アクセス権記憶手段を検索して、当該クライアントで承認された利用者の認証用ＩＤが紐付けられている電子資料へのアクセスを許可することを特徴とする請求項５記載のサーバ。
【請求項７】
前記アクセス権制御手段により電子資料へのアクセスが許可されたクライアントにおいて、その電子資料へのアクセス権を付与する利用者の認証用ＩＤが、その電子資料に係わる利用者に紐付けて前記アクセス権記憶手段で記憶している認証用ＩＤの中から変更されると、その変更された内容に従い、該当する電子資料に紐付けて前記資料単位アクセス権記憶手段で記憶している他の利用者の認証用ＩＤを更新する資料単位アクセス権更新手段、
をさらに具備したことを特徴とする請求項６記載のサーバ。
【請求項８】
前記資料単位アクセス権記憶手段により電子資料毎に記憶されている認識用ＩＤは、その電子資料に係わる利用者に紐付けて前記アクセス権記憶手段で記憶している認証用ＩＤの中から削除されても保持されることを特徴とする請求項６または７記載のサーバ。
【請求項９】
データベースを管理するサーバと複数のクライアントとをネットワークで接続してなり、グループを構成する各利用者が前記各クライアントを使用して前記データベースに記憶された電子資料を共有できるようにしたグループウェアシステムの前記サーバを、
前記各利用者に対してそれぞれ設定されたその利用者固有の認証用ＩＤを記憶する認証用ＩＤ記憶手段と、
前記クライアントにて入力された認証用ＩＤで前記認証用ＩＤ記憶手段を検索してユーザ認証を行う認証手段と、
前記認証手段により利用者が承認されたクライアントにおいて、その利用者に係わる電子資料へのアクセス権を付与する他の利用者の認証用ＩＤが、前記認証用ＩＤ記憶手段に記憶された認証用ＩＤの中から選択されると、この選択された他の利用者の認証用ＩＤを、そのクライアントで承認された利用者に紐付けて記憶するアクセス権記憶手段と、
前記クライアントからのアクセス要求に対し、前記アクセス権記憶手段を検索して、そのクライアントで承認された利用者の認証用ＩＤが紐付けられている利用者を特定し、この特定された利用者に係わる電子資料へのアクセスを許可するアクセス権制御手段と、
して機能させるためのプログラム。
【請求項１０】
前記サーバを、
前記認証手段により利用者が承認されたクライアントにおいて、その利用者に係わる電子資料毎に、その電子資料へのアクセス権を付与する他の利用者の認証用ＩＤが、その電子資料に係わる利用者に紐付けて前記アクセス権記憶手段で記憶している認証用ＩＤの中から選択されると、その選択された他の利用者の認証用ＩＤを、該当する電子資料に紐付けて記憶する資料単位アクセス権記憶手段、
としてさらに機能させ、
前記アクセス権制御手段は、前記クライアントからのアクセス要求に対し、前記資料単位アクセス権記憶手段を検索して、当該クライアントで承認された利用者の認証用ＩＤが紐付けられている電子資料へのアクセスを許可するようにさせるための請求項９記載のプログラム。
【請求項１１】
前記サーバを、
前記アクセス権制御手段により電子資料へのアクセスが許可されたクライアントにおいて、その電子資料へのアクセス権を付与する利用者の認証用ＩＤが、その電子資料に係わる利用者に紐付けて前記アクセス権記憶手段で記憶している認証用ＩＤの中から変更されると、その変更された内容に従い、該当する電子資料に紐付けて前記資料単位アクセス権記憶手段で記憶している他の利用者の認証用ＩＤを更新する資料単位アクセス権更新手段としてさらに機能させるための請求項９記載のプログラム。
【請求項１２】
前記資料単位アクセス権記憶手段により電子資料毎に記憶されている認識用ＩＤを、その電子資料に係わる利用者に紐付けて前記アクセス権記憶手段で記憶している認証用ＩＤの中から削除されても保持させるための請求項１０または１１記載のプログラム。
【手続補正２】
【補正対象書類名】明細書
【補正対象項目名】発明の名称
【補正方法】変更
【補正の内容】
【発明の名称】グループウェアシステム及びそのサーバ並びにプログラム